(57)【要約】    【課題】  デジタル・コンテンツ装置に使用されるデジタル・コンテンツ伝送方法。記憶装置の使用状況を感知することで、デジタル・コンテンツのサーバー間との接続状態を決める。メモリーの使用状態を繰り返し感知し、無線通信モジュールをオン、オフするなどのステップにより、エネルギー浪費を節約する。    【解決手段】  その方法は、無線通信モジュールをオンするステップと、資料信号の受信を伝送するステップと、記憶装置の使用状態を感知することにより情報を伝送するかどうかを決めるステップと、資料の中断信号を伝送するステップと、無線通信モジュールをオフし、資料の伝送を停止させるステップと、記憶装置内の資料を使用しかつ記憶装置の使用状況を感知することにより無線通信モジュールをオンし直すかどうかを決めるステップとを含む。【選択図】図２
2007019883.tif 000002
【特許請求の範囲】
【請求項１】
記憶装置の使用状況を感知することによりデジタル・コンテンツの伝送の接続状況を決めるデジタル・コンテンツの伝送方法であって、この方法は、
記憶装置の使用状況を感知するステップと、
無線通信モジュールをオンするステップと、
当該デジタルの内容を伝送するステップと、
伝送した記憶装置の使用状況を感知するステップと、
無線通信モジュールをオフするステップと、
当該デジタルの内容の伝送を停止するステップと
を含むことを特徴とするデジタル・コンテンツの伝送方法。
【請求項２】
プロセッサーにより記憶装置の使用状態を感知することを特徴とする請求項１記載のデジタル・コンテンツの伝送方法。
【請求項３】
当該記憶装置の容量が第一所定割合よりも低い或いは等しい場合は、当該無線通信モジュールをオンすることを特徴とする請求項１記載のデジタル・コンテンツの伝送方法。
【請求項４】
当該記憶装置の容量が第二所定割合となる場合は、当該無線通信モジュールをオフすることを特徴とする請求項１記載のデジタル・コンテンツの伝送方法。
【請求項５】
当該無線通信モジュールをオンした場合は、アンテナとサーバーに接続されることを特徴とする請求項１記載のデジタル・コンテンツの伝送方法。
【請求項６】
当該デジタルの内容を伝送する場合は、同時に記憶装置にある保存資料を除去されることを特徴とする請求項１に記載するデジタル・コンテンツの伝送方法。
【請求項７】
デジタルの内容を伝送するステップは、シリアル方法によりダウンロードされることを特徴とする請求項１記載のデジタル・コンテンツの伝送方法。
【請求項８】
デジタル・コンテンツの伝送方法であって、この方法は、
無線通信モジュールをオンするステップと、
受信資料信号を伝送するステップと、
資料を伝送するステップと、
記憶装置の使用状況を感知することにより、資料を継続に伝送するかどうかを決めるステップと、
資料の中断信号を伝送するステップと、
無線通信モジュールをオフするステップと、
資料の伝送を停止するステップと、
記憶装置にある資料を除去するステップと、
当該記憶装置のうちの資料を使用するステップと、
記憶装置の使用状況を感知することにより、無線通信モジュールをオンし直すかどうかを決めるステップと
を含むことを特徴とするデジタル・コンテンツの伝送方法。
【請求項９】
資料を伝送するステップは、シリアル方法によりダウンロードされることを特徴とする請求項８記載のデジタル・コンテンツの伝送方法。
【請求項１０】
当該無線通信モジュールをオンした場合は、サーバーの接続により当該無線通信モジュールのアンテナ・モジュール機能をオンされることを特徴とする請求項８記載のデジタル・コンテンツの伝送方法。
【請求項１１】
プロセッサーにより記憶装置の使用状態を感知することを特徴とする請求項８記載のデジタル・コンテンツの伝送方法。
【請求項１２】
当該記憶装置の容量が第一所定割合によりも低い或いは等しい場合は、当該無線通信モジュールをオンすることを特徴とする請求項８記載のデジタル・コンテンツの伝送方法。
【請求項１３】
当該記憶装置の容量が第二所定割合となる場合は、先に当該受信資料の停止信号を伝送し、当該無線通信モジュールをオフすることを特徴とする請求項８記載のデジタル・コンテンツの伝送方法。
【請求項１４】
当該デジタルの内容を伝送する場合は、同時に記憶装置にある保存資料を除去されることを特徴とする請求項８記載のデジタル・コンテンツの伝送方法。
【請求項１５】
当該受信資料の信号と当該受信資料の停止信号が、サーバーと当該無線通信デジタル・モジュールの間の所定通信協定により伝送されることを特徴とする請求項８記載のデジタル・コンテンツの伝送方法。
【請求項１６】
当該受信資料の停止信号をサーバーに伝送する場合は当該サーバーが確認信号を当該無線通信デジタル・モジュールに伝送し、当該無線通信デジタル・モジュールがオフされることを特徴とする請求項８記載のデジタル・コンテンツの伝送方法。
【発明の詳細な説明】
【技術分野】
【０００１】
特にメモリーの使用状態を繰り返し感知し、無線通信モジュールをオン、オフするなどのステップにより、無線デジタル・コンテンツ装置の省エネルギーを図ることができるデジタル・コンテンツ伝送方法に関連する。
【背景技術】
【０００２】
一般的な携帯型デジタルＡＶ装置内で、フラッシュ・メモリー或いは、ハードディスクなどの記憶装置によりデジタルＡＶファイルが保存される。こうして、ユーザー端ではいつでも動画・音声などの娯楽を楽しむことが可能である。さらに、ＡＶ装置の中に設置される小さいバッファ・メモリーを有し、無線接続方式によりＡＶのファイル・コンテンツ・サーバーを提供し、ストリーミング方法を利用してＡＶのファイル・コンテンツをダウンロードすることができ、使用される。
【０００３】
しかしながら、電源の供給が従来の携帯式のＡＶ装置の最大の問題となり、無線の方法によりその内容をダウンロードする場合は、無線通信デジタル・モジュールが最大の電力使用要因となる。従来技術、例えば米国特許第5539925 号明細書では、無線システムにおいて、伝送中断に遭う場合は、その中の無線受信装置がオフされ、電力の使用を節約できると開示されている。
【０００４】
モバイル装置の省エネルギーの応用については、米国特許第6463307 号明細書に掲示されるモバイル装置の接続状態における省エネルギー方法と装置(Method and Apparatus for Power Saving in a Mobil Terminal withEstablished Connections)を参照すると、モバイル装置で操作状態の時に基地局(base station)が所定の時間周期内にモバイル装置に情報を放送し、モバイル装置がこの時間内にその放送情報を周期的に検知し、伝送もし、コール情報(paging message)が無い場合は、操作状態から低使用電力状態に転換され、基地局との接続を中断することができる。しかしながら、この状態においても基地局の信号有無を周期的に検知し続け、もし、基地局がモバイル装置にコール情報信号を送信する場合は、モバイル装置がコールされ、この信号を応答した場合、通信作業の接続を行う処理に進む。
【０００５】
前記した従来技術において、このようなモバイル装置がコール信号の有無を感知することにより、所定の省エネルギー・モードに入るかどうかが決められる。そして、省エネルギー状態では、基地局の信号感知が行われるから省エネルギー効果にとって有限である。
【０００６】
しかし、本発明に掲示される無線デジタル・コンテンツ装置は、常にサーバーの信号を持続して感知することが不要なので、周期的にサーバーの信号を感知することにより、所定の省エネルギー・モードに入るかどうかを決める処理は使用されない。依然として自動的にメモリーの使用量を感知することにより、遠距離のサーバーに接続するかどうかを決め、そして、接続の中断状態においては、無線通信モジュールをオフすることによって省エネルギーの目的を図る。
【発明の開示】
【発明が解決しようとする課題】
【０００７】
前記の従来技術が使用された省エネルギー方法効果の欠点に鑑みて、終に自身が熟知する技術を利用し、本発明の「デジタル・コンテンツ方法」を提出し、有効な省エネルギーをもたらすことを目的とする。
【課題を解決するための手段】
【０００８】
本発明はデジタル・コンテンツの伝送方法であり、デジタル・コンテンツ装置を通じる、その中の記憶装置が使用された状況を感知することによってデジタル・コンテンツ・サーバーとの接続状態が決められる。こうして、メモリー使用状態を繰り返し感知し、無線通信モジュールをオン、オフするなどのステップにより、省エネルギーを図ることができる。
【０００９】
デジタル・コンテンツの伝送方法の一最良実施例では、記憶装置の使用状況を感知することによりデジタル・コンテンツの伝送の接続状態を決める。この方法のステップには、記憶装置の使用状態を感知するステップ、無線通信モジュールを起動するステップ、デジタル・コンテンツを伝送するステップ、当該記憶装置の使用状況を再び感知するステップ、無線通信モジュールをオフするステップ、及び、デジタル・コンテンツの伝送を停止するステップがある。
【００１０】
更に本発明の別の最良の実施例では、電源をオンした後、先に無線通信モジュールをオンし、かつ受信資料信号をサーバーへ伝送し、次に資料を伝送、ダウンロードし、同時に記憶装置の使用状況を感知することにより、資料を継続して伝送するかどうかを決め、該記憶装置の容量が第二所定割合となる場合は、先に当該受信資料の停止信号をサーバーへ伝送し、当該無線通信モジュールをオフするとともに資料の伝送を停止させるステップがある。この場合は、当該記憶装置内の資料を使用しかつ当該記憶装置の使用状況を感知することにより、無線通信モジュールをオンし直すかどうかを決める。
【００１１】
本発明で述べたデジタル・コンテンツ装置は、処理器（プロセッサー）を利用して当該記憶装置の使用状態を感知し、当該の記憶装置が第一所定割合よりも低い或いは等しい場合は、無線通信モジュールをオンするようにする。当該記憶装置の容量が第二所定割合になる場合は、当該無線通信モジュールをオフするようにする。
【発明を実施するための最良の形態】
【００１２】
図１Ａは、本発明に係るデジタル・コンテンツ伝送方法におけるデジタル・コンテンツ装置14、15、16と、遠距離（リモート）のサーバー11とが接続される概念図である。サーバー11はデジタル・コンテンツ提供端に設置され、かつＡＶデジタル・コンテンツ・データ・ベースを保存するデジタル・データ・ベース１３と接続する。提供されるサービスは圧縮音楽ファイル（例えばMP3ファイル）と動画（例えばMPEG2、MPEG4など）、或いは他のデジタル資料、例えは図案、電子ファイル、ソフトウェアなどである。そしてインターネット(Internet)10に接続され、ユーザー端が携帯可能な装置によりインターネット10の接続を通じて、サーバー11中のデジタル・コンテンツをダウンロードできる。携帯装置は図式のデジタル・コンテンツ装置の14、15、16の如く構成される。
【００１３】
最良実施例については、デジタル・コンテンツ装置14、15、16が無線方式を利用し、インターネット10に接続し、ストリーミング(Streaming) 方式を利用しデジタル・コンテンツ・データ・ベース13の内容をダウンロードし、最後にそのプロセッサーによって、パッケージ処理、デジタル信号のデコーダ（複号化）などの処理を経由した後、デジタル・コンテンツ装置14、15、16が、搭載されたモニター、スピーカーなどの出力装置を利用し、聞く或いは観賞することを可能にする。しかしながら、サーバー11は図に示すような態様に限らず、インターネット10に複数接続するサーバーにより共同でデジタル・コンテンツを提供することも可能である。前記のストリーミング方法のダウンロードの特徴については、高品質のＡＶ圧縮ファイルを伝送することができ、限られたブロードバンドのインターネットでは、最良のオーディオ、エンコーダ画質を再生することができ、インターネットにおいて最適に伝送する。
【００１４】
当該デジタル・コンテンツ装置14の一最良実施例については、例えば図１Ｂに示す装置概念図のように、少なくとも一つの制御装置内の出、入力(I/O) 信号のコントロール・チップを含み、例えば図式中のプロセッサー1、そして、それに接続される無線通信モジュール2、アンテナ・モジュール3、記憶装置4、出力ユニット6と、入力ユニット7である。ユーザー端は、例えばキーボート、ジョイスティック、タッチ式パネルなどの入力ユニット7によって、これらの装置を制御することが可能である。デジタル・コンテンツをダウンロードする場合は、無線通信モジュール2をオンし、アンテナ・モジュール3に接続されることによって、インターネットに接続して、デジタル・コンテンツをダウンロードする。デジタル信号はアンテナ・モジュール3と無線通信モジュール2（例えばRF回路）によって受信し、プロセッサー1の演算とパッキングの処理などを通じて、ダウンロードされたインターネット・パック（パケット）情報を、利用できるデジタル信号に統合し、先に記憶装置4に保存しておく。前記のダウンロードしたパックをプロセッサー1によって処理したところ、安全コードの印加する資料部分或いは登録する情報の確認となり、かつ、パッケージ・ヘッダー(IP Header) を再計算する必要となり、パックを受信した場合、当該ヘッダーを取り除くと共に、配列し直し、資料デコーダと登録のデコーダー作業を行い、配列し直されたデジタル信号を一応記憶装置に保存する。本発明の実施形態に使用される記憶装置４は有限容量のバッファ・メモリーであるが、DRAM、フラッシュ・メモリ(flash memory)などの揮発性(Volatile)或いは、不揮発性(Non-Volatile)のメモリーでもよく、デジタル信号を一時保存し、更にプロセッサー1によってデコーダ、解凍などのデジタル信号処理を行い、出力ユニット6から出力され、例えば、液晶モニターから出力され、スピーカーから音声が出力され、或いは他のソフトによってデジタル・コンテンツを起動するなどする。
【００１５】
しかしながら、前記の記憶装置4に一応保存されるデジタル信号は、ストリーミング方法を利用し、インターネットからダウンロード、保存されると共に、プロセッサー1によってデコーダ、解凍され、出力として使用され、容量が所定割合となる場合は、一時的にダウンロードが禁止され、かつ無線通信モジュール2の機能をオフする。その時、依然として信号が出力ユニット6に出力されて、記憶装置4の中の保存内容が別の所定割合となる場合は、無線通信モジュール2がオンされ、ダウンロードされたデジタル・コンテンツが継続し、こうのように繰り返して、デジタル・コンテンツを即時に使用できる目的を図る。
【００１６】
本発明に係るデジタル・コンテンツ伝送方法は、前記の記憶装置4が使用された状況を感知することによってデジタル・コンテンツ伝送の接続状態を決め、接続しない場合は中の無線通信モジュール2をオフすることによって、省エネルギーができる。この方法ステップが図２に示す流れ図である。
【００１７】
デジタル・コンテンツ装置がオンされた後、まず、当該装置の各ユニット、例えばその中のプロセッサー、無線通信モジュール、出力ユニットなどを初期化し、次に、図２に示す資料伝送の流れの処理を始める。
【００１８】
まず、プロセッサーがその記憶装置の使用状況を感知し（ステップS201）、オン（起動）するときに感知する場合は、メモリーの初期化となり、装置操作状態において感知する場合は、その使用量を感知することになる。
【００１９】
記憶装置の容量が第一所定割合よりも低い或いは等しい場合は、プロセッサーの無線通信モジュールに接続するようにオンされ（ステップS203）、例えばWiFi/WiMax/GPRSなどの無線制御モジュールは、アンテナ・モジュールに接続されることによって、インターネットを通じて、遠距離のサーバーと接続を行い、資料をサーバーへ伝送させ、例えば、デジタル・コンテンツ・データ・ベースに保存される資料である（ステップS20５）。
【００２０】
本発明に係る実施例は、資料を伝送する時、プロセッサーが同時に記憶装置に保存された資料を使用するとともに記憶装置の使用状態を感知する（ステップS207）。記憶装置に保存されたデジタル・コンテンツが別の第二所定割合（大きい或いは等しい）となった場合は、無線通信モジュールをオフするようにし（ステップS209）、つまり、サーバーとの接続を中断し、資料の伝送を停止させる（ステップS211）。次に、当該デジタル・コンテンツ装置の操作において、前記したステップS201乃至S211の流れを繰り返し、即ち、プロセッサーが記憶装置の使用状態を感知するステップ、無線通信モジュールをオンするステップ、記憶装置の状態を感知するステップ、及び無線通信モジュールをオフするステップ等を繰り返し、省エネルギー効果のデジタル・コンテンツ伝送方法を提供する。
【００２１】
本発明に係る内容伝送方法の一最良実施例は：
デジタル・コンテンツ装置の電源をオンした後、各ユニットを初期化し（ステップS301）、ユーザー端は当該装置の初期化後にデジタル・コンテンツの伝送をオンし（ステップS303）、実際に実施される時に、圧縮音楽ファイル、動画ファイルなどをダウンロードし、かつストリーミング方法によってダウンロードし、単に少量の充電だけであればよい。
【００２２】
その場合は、無線通信モジュールをオンし（ステップS305）、アンテナ・モジュール機能をオンすることによって、遠距離のサーバーと接続する。ユーザー端が、伝送機能をオフする場合は、当該無線通信モジュールはオフ状態となる。
【００２３】
当該デジタル・コンテンツ装置を操作し始める初期状態の場合は、記憶装置内に保存資料がなく、或いは、装置の操作中には、メモリー容量を前記の第一所定割合まで使用する場合は、受信資料の信号を、デジタル・コンテンツを保存するサーバーに伝送し（ステップS307）、この時、サーバーは資料を当該デジタル・コンテンツ装置に伝送し、即ち、該デジタル・コンテンツ装置が資料を受信し始めることを示す（ステップS309）。前記の受送信資料信号がサーバーとデジタル・コンテンツ装置の無線通信モジュールの間の所定通信協定により伝送することができる。
【００２４】
資料を伝送する場合においては、当該デジタル・コンテンツ装置が既に記憶装置のうちの資料を操作、使用する状態に位置しており、例えばストリーミング方法によりダウンロードされたＡＶ内容を聞き、観賞、そして、同時にプロセッサーにより、記憶装置の使用状態を感知し、継続して資料を伝送するかどうかを決める（ステップS311）。当該記憶装置の容量が第二所定割合となった場合は、一資料受信の停止信号をサーバーに伝送し（ステップS313）、サーバーがこの信号を受信すると、伝送の資料を停止させ、そして伝送の資料を記憶し、この後の伝送動作を待ち、この時、一確認信号を無線通信モジュールに伝送する必要があり、ユーザー端のデジタル・コンテンツ装置を通知する。デジタル・コンテンツ装置がサーバーの資料停止伝送を取る場合は、当該無線通信モジュールをオフし（ステップS315）、同時に資料の伝送/ダウンロードを停止し（ステップS317）、こうして、装置内の無線通信モジュールの使用電力を節約するようにする。
【００２５】
前記の資料の伝送と伝送の停止において、当該デジタル・コンテンツ装置は当該記憶装置のうちの資料を使用しており、即ち、使用した資料を除去し（ステップS319）、そして、同時にプロセッサーが当該記憶装置の使用状態を感知することにより、無線通信モジュールをオンし直すかどうかを決める（ステップS321）。
【００２６】
記憶装置の容量が第一所定割合となる場合は、S305などのステップを繰り返し、即ち、無線通信モジュールのオン、接続、資料のダウンロード、記憶装置の使用状態を感知するデジタル・コンテンツ伝送ステップ等を繰り返し、そして、記憶装置に資料が第二所定割合となる場合は、更に無線通信モジュールをオフし、こうして、このような動態的なスイッチの動作が省エネルギーの目的を図るようになる。
【００２７】
図４は、本発明に係る一最良実施例の流れ図を示す。まず、デジタル・コンテンツ装置の電源をオンし（ステップS401）、ユーザーからデジタル・コンテンツを伝送するかどうかを決め（ステップS403）、いいえの結果の場合は、無線通信モジュールがオフの状態となり（ステップS423）、はいの結果の場合は、その無線通信モジュールをオンし（ステップS405）、接続されるアンテナ・モジュールにより、遠距離のサーバーと接続し、同時に先にサーバーとデジタル・コンテンツ装置の無線通信モジュールの間の所定通信協定により、受信資料の信号を伝送し（ステップS407）、サーバーが受信した後に、資料の伝送を行う（ステップS409）。
【００２８】
プロセッサーはこの装置操作中に、記憶装置が所定容量を保存するかどうかを判断し（前記の第二所定割合の如く）(ステップS411）、いいえの結果の場合は、ステップ409の資料の伝送に戻り、当該第二所定割合となる場合は、受信資料の停止信号をサーバーへ伝送するとともに（ステップS413）、サーバーの伝送が停止された後に、デジタル・コンテンツ装置における無線通信モジュールへ確認の停止信号を送信し、該信号がサーバーとデジタル・コンテンツ装置の間の所定通信協定により伝送される。次に、デジタル・コンテンツ装置が無線通信モジュールをオフするとともに（ステップS415）、資料の伝送/ダウンロードを停止する（ステップS417）。
【００２９】
伝送においては、ユーザー端がストリーミング方法により、直にデジタル・コンテンツを聞き、あるいは、観賞することができ、容量が第二所定割合となって、伝送を停止し、その後、記憶装置のうちの資料を次第に使用していき（ステップS419）、そして、操作中に、プロセッサーが所定容量まで使用するかどうかを判断し（例えば第一所定割合）（ステップS421）、再接続し伝送がまだ到着していない第一所定割合となる場合は、装置がステップS419の使用メモリーの操作状態にあり、もし特定の容量をすでに使った場合は、ステップS405を行う必要があるとし、即ち、無線通信モジュールをオンし、資料のダウンロードなどのステップで接続する。
【００３０】
前記のステップS405〜S421を繰り返し、記憶装置のうちの容量が第二所定割合となる場合は、サーバーとの接続を中断すると共に、装置中の無線通信モジュールをオフし、電量を節約する。逆に記憶装置の容量が消耗して、第一所定割合となる場合は、無線通信モジュールをオンし、そして、サーバーと再接続し、デジタル・コンテンツをダウンロードする。第一所定割合と第二所定割合は設定しておかれた記憶装置の容量割合であり、その設計は、ユーザー端をストリーミング方法により、デジタル・コンテンツをダウンロードする時に、遅延を発生させることはない。前記の無線通信モジュールの伝送方法を動態（動的）にオフすることにより、本発明の省エネルギーの目的を図ることができる。
【００３１】
前記の附図は、参考と説明に使用され、本発明を制限するものではない。前記したように、本発明に係るデジタル・コンテンツ伝送方法は、デジタル・コンテンツ装置のうちの無線通信モジュールの動作を動態にオフすることにより、省エネルギー目的を図ることができる。従って、本発明は珍しい発明であり、更に産業上の利用可能性、新規性及び、進歩性を有する。
【００３２】
しかしながら、前記したことは、本発明の最良の実施例だけであり、本発明の請求項に制限されない。故に、本発明の明細書と付図内容がなされた等値効果を運用しても、共に本発明の範囲が含まれることを言明する。
【図面の簡単な説明】
【００３３】
【図１Ａ】本発明に係るデジタル・コンテンツ装置の接続サーバーを示す図である。
【図１Ｂ】本発明に係るデジタル・コンテンツ装置のブロック図である。
【図２】本発明に係るデジタル・コンテンツ装置の伝送実施例の流れ図である。
【図３】本発明に係るデジタル・コンテンツ装置の伝送実施例の流れ図である。
【図４】本発明に係るデジタル・コンテンツ装置の伝送実施例の流れ図である。
【符号の説明】
【００３４】
10  インターネット
11  サーバー
13  デジタル・コンテンツ・データ・ベース
14、15、16  デジタル・コンテンツ装置
1   プロセッサー
2   無線通信モジュール
3   アンテナ・モジュール
4   記憶装置
6   出力ユニット
7   主力ユニット
【図１Ａ】
2007019883.tif 000003
【図１Ｂ】
2007019883.tif 000004
【図２】
2007019883.tif 000005
【図３】
2007019883.tif 000006
【図４】
2007019883.tif 000007